(57)【要約】【課題】省電力化を効果的に行うことができる画像読取装置および画像形成装置を提供する。【解決手段】画像読取装置１０は、光源２１と、撮像部２６と、制御部３０とを備える。光源２１は、複数の発光素子２２を有する。光源２１は、原稿Ｍに対して相対的に移動しながら原稿Ｍに光を出射する。撮像部２６は、光源２１から原稿Ｍに出射された光によって原稿Ｍを読み取ったスキャンデータを取得する。制御部３０は、光源２１および撮像部２６を制御する。制御部３０は、原稿Ｍ内の読取対象領域および非読取対象領域を判定し、複数の発光素子２２のうち読取対象領域に対応する発光素子２２を点灯させ、複数の発光素子２２のうち非読取対象領域に対応する発光素子２２を消灯させる。【選択図】図１
2014150344.tif 000002
【特許請求の範囲】
【請求項１】
複数の発光素子を有し、原稿に対して相対的に移動しながら前記原稿に光を出射する光源と、
前記光源から前記原稿に出射された光によって前記原稿を読み取ったスキャンデータを取得する撮像部と、
前記光源および前記撮像部を制御する制御部と
を備え、
前記制御部は、前記原稿内の読取対象領域および非読取対象領域を決定し、前記複数の発光素子のうち前記読取対象領域に対応する発光素子を点灯させ、前記複数の発光素子のうち前記非読取対象領域に対応する発光素子を消灯させる、画像読取装置。
【請求項２】
前記制御部は、
前記撮像部が前記スキャンデータを得る前に、前記スキャンデータを得る際の光量よりも低い光量で、前記原稿に対して相対的に移動しながら前記光源から前記原稿に光を出射させ、前記撮像部に、前記光源から出射された光によって前記原稿を読み取ったプレスキャンデータを取得させるプレスキャンを行うように前記光源および前記撮像部を制御し、
前記制御部は、前記プレスキャンデータに基づいて、前記原稿内の前記読取対象領域および前記非読取対象領域を判定する、請求項１に記載の画像読取装置。
【請求項３】
前記撮像部が前記スキャンデータを取得する際に前記光源が前記原稿に対して相対的に移動する方向は、前記撮像部が前記プレスキャンデータを取得する際に前記光源が前記原稿に対して相対的に移動する方向と逆方向である、請求項２に記載の画像読取装置。
【請求項４】
前記制御部は、前記プレスキャンデータから前記原稿内の前記非読取対象領域に対応するプレ背景色データを判別し、前記プレ背景色データに基づいて背景色データを生成し、前記スキャンデータのうち前記非読取対象領域に対応するスキャンデータに前記背景色データを上書きする、請求項２または請求項３に記載の画像読取装置。
【請求項５】
前記撮像部がプレスキャンデータを取得する際の解像度は、前記撮像部が前記スキャンデータを取得する際の解像度よりも低い、請求項２から請求項４のうちの１項に記載の画像読取装置。
【請求項６】
前記プレスキャンを行うか否かの選択入力を受け付ける操作部をさらに備え、
前記制御部は、前記選択入力に基づき前記プレスキャンを行うか否かを決定する、請求項２から請求項５のうちの１項に記載の画像読取装置。
【請求項７】
前記操作部は、前記読取対象領域及び前記非読取対象領域のうち少なくとも一方の領域指定入力を受け付け、
前記制御部は、前記領域指定入力によって指定された前記読取対象領域及び前記非読取対象領域のうち少なくとも一方に基づき前記読取対象領域及び前記非読取対象領域のうち少なくとも一方を生成する、請求項６に記載の画像読取装置。
【請求項８】
前記複数の発光素子は一方向に配列されており、
前記光源は、前記原稿に対して、前記複数の発光素子の配列された方向に対して直交する方向に沿って相対的に移動する、請求項１から請求項７のうち１項に記載の画像読取装置。
【請求項９】
前記複数の発光素子のそれぞれはＬＥＤである、請求項１から請求項８のうち１項に記載の画像読取装置。
【請求項１０】
請求項１から請求項９のうちの１項に記載の画像読取装置と、
前記画像読取装置によって取得されたスキャンデータに基づいて印刷を行う印刷部と
を備える、画像形成装置。
【発明の詳細な説明】
【技術分野】
【０００１】
本発明は、画像読取装置および画像形成装置に関する。
【背景技術】
【０００２】
原稿の画像を読み取る画像読取装置は、光源から光を原稿に出射し、原稿にて反射された光を撮像部で受光することによって原稿の画像データを読み取る。特許文献１には、原稿サイズに応じて光源の点灯制御を行う画像読取装置が開示されている。特許文献１の画像読取装置では原稿外に光を出射することなく原稿のみに光を出射することにより、省電力化を図っている。
【先行技術文献】
【特許文献】
【０００３】
【特許文献１】特開２００６−２０１２９号公報
【発明の概要】
【発明が解決しようとする課題】
【０００４】
しかしながら、特許文献１に記載の画像読取装置では、原稿中の字、絵や写真などの情報がない白紙部分にも光を出射するので、必要の無い電力を消費していた。
【０００５】
本発明は上記課題を鑑みてなされたものであり、省電力化を効果的に行うことができる画像読取装置および画像形成装置を提供することにある。
【課題を解決するための手段】
【０００６】
本発明に係る画像読取装置は、光源と、撮像部と、制御部とを備える。前記光源は、複数の発光素子を有する。前記光源は、原稿に対して相対的に移動しながら前記原稿に光を出射する。前記撮像部は、前記光源から前記原稿に出射された光によって前記原稿を読み取ったスキャンデータを取得する。前記制御部は、前記光源および前記撮像部を制御する。前記制御部は、前記原稿内の読取対象領域および非読取対象領域を判定し、前記複数の発光素子のうち前記読取対象領域に対応する発光素子を点灯させ、前記複数の発光素子のうち前記非読取対象領域に対応する発光素子を消灯させる。
【０００７】
本発明に係る画像形成装置は、上記に記載の画像読取装置と、印刷部とを備える。印刷部は、前記画像読取装置によって取得されたスキャンデータに基づいて印刷を行う。
【発明の効果】
【０００８】
本発明に係る画像読取装置は、複数の発光素子を有する光源と、撮像部と、制御部とを備える。制御部は、原稿内の読取対象領域および非読取対象領域を判定し、複数の発光素子のうち読取対象領域に対応する発光素子を点灯させ、複数の発光素子のうち非読取対象領域に対応する発光素子を消灯させる。したがって、読み取る必要の無い箇所では無駄な光源電力を消費しないため、省電力化を効果的に行うことができる。
【図面の簡単な説明】
【０００９】
【図１】（ａ）は、本発明の実施形態に係る画像読取装置を示す模式的な側面図である。（ｂ）は、本発明の実施形態に係る画像読取装置の可動ユニットを示す模式的な斜視図である。
【図２】原稿を示す模式図である。
【図３】（ａ）、（ｃ）、（ｅ）および（ｇ）は、本発明の実施形態に係る画像読取装置の模式的な斜視図であり、（ｂ）、（ｄ）、（ｆ）および（ｈ）は、（ａ）、（ｃ）、（ｅ）および（ｇ）にそれぞれ対応した原稿に対する可動ユニットの位置を示す模式図である。
【図４】（ａ）、（ｃ）、（ｅ）および（ｇ）は、本発明の実施形態に係る画像読取装置の模式的な斜視図であり、（ｂ）、（ｄ）、（ｆ）および（ｈ）は、（ａ）、（ｃ）、（ｅ）および（ｇ）にそれぞれ対応した原稿に対する可動ユニットの位置を示す模式図である。
【図５】（ａ）、（ｃ）、（ｅ）および（ｇ）は、本発明の実施形態に係る画像読取装置の模式的な斜視図であり、（ｂ）、（ｄ）、（ｆ）および（ｈ）は、（ａ）、（ｃ）、（ｅ）および（ｇ）にそれぞれ対応した原稿に対する可動ユニットの位置を示す模式図である。
【図６】（ａ）は、本発明の実施形態において読み取ったスキャンデータを示す模式図であり、（ｂ）は、本発明の実施形態において背景色データを上書きしたスキャンデータを示す模式図である。
【図７】本発明の実施形態に係る画像読取装置１０を示す模式的なブロック図である。
【図８】本発明の実施形態に係る画像読取装置１０を示す模式的な斜視図である。
【図９】本発明の実施形態に係る画像形成装置１００を示す模式図である。
【発明を実施するための形態】
【００１０】
以下、図面を参照して本発明に係る画像読取装置および画像形成装置の実施形態を説明する。ただし、本発明は以下の実施形態に限定されない。
【００１１】
図１を参照して本発明に係る画像読取装置１０の実施形態を説明する。図１（ａ）は、本発明の実施形態に係る画像読取装置１０を示す模式的な側面図である。図１（ｂ）は、本発明の実施形態に係る画像読取装置１０の可動ユニット２０を示す模式的な斜視図である。
【００１２】
画像読取装置１０は、光源２１と撮像部２６と制御部３０とを備える。典型的に画像読取装置１０は、原稿台１１と原稿カバー１２とをさらに備える。画像読取装置１０は、原稿台１１の上に載置された原稿Ｍを読み取ってスキャンデータ（原稿の読取データ、画像データ）を取得する。画像読取装置１０は、例えば、スキャナである。原稿Ｍは、例えば、紙であるが紙に限定されない。例えば、布や厚みのある立体物でもあり得る。
【００１３】
画像読取装置１０は、原稿台１１の下方で移動する可動ユニット（キャリッジ）２０を備える。原稿台１１は、例えば、透明であり、ガラスから形成されている。可動ユニット２０には、光源２１、反射ミラー２４、レンズ２５および撮像部２６が取り付けられている。可動ユニット２０の上面には、スリット２３が設けられている。可動ユニット２０は、光源２１、反射ミラー２４、レンズ２５および撮像部２６とともに原稿Ｍに対して移動方向Ｑへ相対的に移動する。
【００１４】
光源２１は、複数の発光素子２２を有している。複数の発光素子２２は、移動方向Ｑと直交する方向に配列されている。本明細書において、複数の発光素子２２のうちの一方の端部に並んだ２つの発光素子２２を発光素子２２ａ、続いて配列された２つの発光素子２２を発光素子２２ｂ、続いて配列された２つの発光素子２２を発光素子２２ｃ、続いて配列された２つの発光素子２２を発光素子２２ｄと記載することがある。発光素子２２は、例えば、ＬＥＤ（Ｌｉｇｈｔ  Ｅｍｉｔｔｉｎｇ  Ｄｉｏｄｅ）である。光源２１は、原稿Ｍに対して相対的に移動しながら原稿Ｍに光を出射する。
【００１５】
以下、光源２１から出射した光が撮像部２６に到達する過程を説明する。光源２１は、原稿台１１を下方から照射する。光源２１から出射された光は、原稿Ｍで反射して、スリット２３を通り反射ミラー２４に到達する。反射ミラー２４に到達した光は反射ミラー２４で反射し、レンズ２５を通り撮像部２６に到達する。
【００１６】
撮像部２６は、例えば、ＣＣＤ（Ｃｈａｒａｇｅ  Ｃｏｕｐｌｅｄ  Ｄｅｖｉｃｅ）である。撮像部２６は、撮像部２６に到達した光からアナログ信号のスキャンデータを原稿Ｍの１ライン毎に取得する。その後、ＡＦＥ（アナログフロントエンド）（図１では図示せず）において、スキャンデータはアナログ信号からデジタル信号に変換される。そしてデジタル信号に変換されたスキャンデータは制御部３０へと入力される。
【００１７】
制御部３０は、光源２１および撮像部２６を制御する。制御部３０は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＣＰＵ（Ｃｅｎｔｒａｌ Ｐｒｏｃｅｓｓｉｎｇ Ｕｎｉｔ）、ＲＯＭ（Ｒｅａｄ Ｏｎｌｙ Ｍｅｍｏｒｙ）およびＲＡＭ（Ｒａｎｄｏｍ Ａｃｃｅｓｓ Ｍｅｍｏｒｙ）を備える。制御部３０が、光源２１を制御することにより、光源２１の有する複数の発光素子２２を個別に点灯／消灯させることができる。ここでは、発光素子２２ａ、発光素子２２ｂ、発光素子２２ｃおよび発光素子２２ｄの２つの発光素子単位で発光素子２２を点灯／消灯させる。
【００１８】
制御部３０は、原稿Ｍ内の読取対象領域および非読取対象領域を判定する。以下に、図２を参照して読取対象領域および非読取対象領域について説明する。
【００１９】
図２は、原稿Ｍを示す模式図である。原稿Ｍは、文字「ａｂｃｄｅｆｇｈｉｊｋｌ」、文字「ｍｎｏｐｑｒｓｔｕ」、日本語文字「あいうえお」、日本語文字「かきくけこ」、日本語文字「さしすせそたちつてと」および文字の存在しない背景を含んでいる。
【００２０】
図２において原稿Ｍは縦軸により４つの領域（領域６３ａ、領域６３ｂ、領域６３ｃおよび領域６３ｄ）に４等分される。図１（ａ）に示した移動方向Ｑは、図２の縦方向に対応している。図１（ｂ）に示した発光素子２２ａ、発光素子２２ｂ、発光素子２２ｃおよび発光素子２２ｄが光を出射する範囲は、図２に示した原稿Ｍの領域６３ａ、領域６３ｂ、領域６３ｃおよび領域６３ｄにそれぞれ対応している。
【００２１】
制御部３０は、文字のある部分と背景の部分とを判別する。文字のある部分と背景の部分との判別は、例えば、光源２１によって出射された後に原稿Ｍによって反射された光の強度の違いを検出することによって判別する。
【００２２】
制御部３０は、図３〜図５を参照して後述するプレスキャン、または、図８を参照して後述する使用者の操作により領域を指定されることによって、読取対象領域および非読取対象領域を決定する。制御部３０は、文字が存在する領域６１ａ、領域６１ｂ、領域６１ｃ、領域６１ｄおよび領域６１ｅを読取対象領域と決定する。一方、文字が存在しない背景である領域６２ａ、領域６２ｂ、領域６２ｃ、領域６２ｄ、領域６２ｅ、領域６２ｆ、領域６２ｇ、領域６２ｈ、領域６２ｉおよび領域６２ｊを非読取対象領域と決定する。
【００２３】
制御部３０は、光源２１および撮像部２６を制御する。制御部３０は、原稿Ｍ内の読取対象領域および非読取対象領域を決定し、複数の発光素子のうち読取対象領域に対応する発光素子２２を点灯させ、複数の発光素子２２のうち非読取対象領域に対応する発光素子２２を消灯させる。したがって、読み取る必要の無い箇所では発光素子２２を消灯することによって無駄な電力を消費しないため、省電力化を効果的に行うことができる。特に、印字部分の少ない原稿で効果的に省電力化を行うことができる。
【００２４】
また、制御部３０は、撮像部２６がスキャンデータを得る前にプレスキャンデータを取得し、プレスキャンデータに基づいて読取対象領域と非読取対象領域とを判定してもよい。この場合、画像読取装置１０は、まず可動ユニット２０を一方向に移動させることにより原稿Ｍを読み取るプレスキャンを行い、プレスキャンが完了すると、プレスキャンとは逆方向に可動ユニット２０を移動させることによりスキャンデータを取得する。
【００２５】
以下に、図３〜図５を参照して本発明に係る画像読取装置１０の光源２１の発光制御について説明する。図３（ａ）、図３（ｃ）、図３（ｅ）および図３（ｇ）は、本発明の実施形態に係る画像読取装置１０の模式的な斜視図である。図３（ｂ）、図３（ｄ）、図３（ｆ）および図３（ｈ）は、図３（ａ）、図３（ｃ）、図３（ｅ）および図３（ｇ）にそれぞれ対応した原稿Ｍに対する可動ユニット２０の位置を示す模式図である。
【００２６】
まず、図３（ａ）において、可動ユニット２０が移動方向Ｑへ移動する。図３（ａ）においては、移動方向Ｑは左から右へ向かう方向である。この際、制御部３０は、スキャンデータを取得する際の光量よりも低い光量で、光源２１から原稿Ｍに光を出射させる。例えば、スキャンデータを取得する際の光量に対して５０％以下の光量で、光源２１から原稿Ｍに光を出射させる。また、制御部３０は、撮像部２６に、光源２１から出射された光によって原稿Ｍを読み取ったプレスキャンデータを取得させる。読み取られたプレスキャンデータは、ＡＦＥ（アナログフロントエンド）において、アナログ信号からデジタル信号に変換されＲＡＭに保存される。制御部３０は、図２に示した読取対象領域と非読取対象領域とをプレスキャンデータに基づいて判定する。
【００２７】
図３（ｂ）において、原稿Ｍには、スキャンデータを取得する際の光量よりも低い光量で発光素子２２ａ、発光素子２２ｂ、発光素子２２ｃおよび発光素子２２ｄからの光が出射される。図３（ｂ）においては、移動方向Ｑは上から下へ向かう方向である。
【００２８】
続いて、図３（ｃ）、図３（ｄ）に示すように、可動ユニット２０は移動方向Ｑに沿って位置Ａ１まで移動する。図３（ｃ）においては、移動方向Ｑは右から左へ向かう方向である。位置Ａ１における領域は、文字が無い非読取対象領域であるため、制御部３０は、発光素子２２ａ、発光素子２２ｂ、発光素子２２ｃおよび発光素子２２ｄを全て消灯させる。図３（ｄ）においては、移動方向Ｑは下から上へ向かう方向である。
【００２９】
続いて、図３（ｅ）、図３（ｆ）に示すように、可動ユニット２０は移動方向Ｑに沿って位置Ａ２まで移動する。位置Ａ２における領域は、日本語文字「さしすせそたちつてと」に対応する文字がある読取対象領域であるため、制御部３０は、発光素子２２ａ、発光素子２２ｂ、発光素子２２ｃおよび発光素子２２ｄを全て点灯させる。このため日本語文字「さしすせそたちつてと」を含む読取対象領域が読み取られる。この際、図３（ａ）、図３（ｂ）で上述したプレスキャンの光量より高い光量で光源２１から原稿Ｍに光を出射させる。本明細書においてこの光量を所定の光量と記載することがある。
【００３０】
続いて、図３（ｇ）、図３（ｈ）に示すように、可動ユニット２０は移動方向Ｑに沿って位置Ａ３まで移動する。位置Ａ３における領域は、日本語文字「さしすせそたちつてと」と日本語文字「かきくけこ」の行間にあたる文字が無い非読取対象領域であるため、制御部３０は、発光素子２２ａ、発光素子２２ｂ、発光素子２２ｃおよび発光素子２２ｄを全て消灯させる。
【００３１】
引き続き図４を参照して、本発明に係る画像読取装置１０の光源２１の発光制御について説明する。図４（ａ）、図４（ｃ）、図４（ｅ）および図４（ｇ）は、本発明の実施形態に係る画像読取装置１０の模式的な斜視図である。図４（ｂ）、図４（ｄ）、図４（ｆ）および図４（ｈ）は、図４（ａ）、図４（ｃ）、図４（ｅ）および図４（ｇ）にそれぞれ対応した原稿Ｍに対する可動ユニット２０の位置を示す模式図である。
【００３２】
続いて、図４（ａ）、図４（ｂ）に示すように、可動ユニット２０は移動方向Ｑに沿って位置Ａ４まで移動する。位置Ａ４における領域は、左半分が日本語文字「かきくけこ」に対応する文字のある読取対象領域であり、右半分が文字の無い背景の非読取対象領域である。そのため制御部３０は、発光素子２２ａおよび発光素子２２ｂを点灯し、発光素子２２ｃおよび発光素子２２ｄを消灯させる。
【００３３】
続いて、図４（ｃ）、図４（ｄ）に示すように、可動ユニット２０は移動方向Ｑに沿って位置Ａ５まで移動する。位置Ａ５における領域は、日本語文字「かきくけこ」と日本語文字「あいうえお」の行間にあたる文字が無い非読取対象領域であるため、制御部３０は、発光素子２２ａ、発光素子２２ｂ、発光素子２２ｃおよび発光素子２２ｄを全て消灯させる。
【００３４】
続いて、図４（ｅ）、図４（ｆ）に示すように、可動ユニット２０は移動方向Ｑに沿って位置Ａ６まで移動する。位置Ａ６における領域は、右半分が日本語文字「あいうえお」に対応する文字のある読取対象領域であり、左半分が文字の無い背景の非読取対象領域である。そのため制御部３０は、発光素子２２ａおよび発光素子２２ｂを消灯し、発光素子２２ｃおよび発光素子２２ｄを点灯させる。
【００３５】
続いて、図４（ｇ）、図４（ｈ）に示すように、可動ユニット２０は移動方向Ｑに沿って位置Ａ７まで移動する。位置Ａ７における領域は、日本語文字「あいうえお」と文字「ｍｎｏｐｑｒｓｔｕ」の行間にあたる文字が無い非読取対象領域であるため、制御部３０は、発光素子２２ａ、発光素子２２ｂ、発光素子２２ｃおよび発光素子２２ｄを全て消灯させる。
【００３６】
引き続き図５を参照して、本発明に係る画像読取装置１０の光源２１の発光制御について説明する。図５（ａ）、図５（ｃ）、図５（ｅ）および図５（ｇ）は、本発明の実施形態に係る画像読取装置１０の模式的な斜視図である。図５（ｂ）、図５（ｄ）、図５（ｆ）および図５（ｈ）は、図５（ａ）、図５（ｃ）、図５（ｅ）および図５（ｇ）にそれぞれ対応した原稿Ｍに対する可動ユニット２０の位置を示す模式図である。
【００３７】
続いて、図５（ａ）、図５（ｂ）に示すように、可動ユニット２０は移動方向Ｑに沿って位置Ａ８まで移動する。位置Ａ８における領域は、左半分が「ｍｎｏｐｑｒｓｔｕ」に対応する文字のある読取対象領域であり、右半分が文字の無い背景の非読取対象領域である。そのため制御部３０は、発光素子２２ａおよび発光素子２２ｂを点灯し、発光素子２２ｃおよび発光素子２２ｄを消灯させる。
【００３８】
続いて、図５（ｃ）、図５（ｄ）に示すように、可動ユニット２０は移動方向Ｑに沿って位置Ａ９まで移動する。位置Ａ９における領域は、文字「ｍｎｏｐｑｒｓｔｕ」と文字「ａｂｃｄｅｆｇｈｉｊｋｌ」の行間にあたる文字が無い非読取対象領域であるため、制御部３０は、発光素子２２ａ、発光素子２２ｂ、発光素子２２ｃおよび発光素子２２ｄを全て消灯させる。
【００３９】
続いて、図５（ｅ）、図５（ｆ）に示すように、可動ユニット２０は移動方向Ｑに沿って位置Ａ１０まで移動する。位置Ａ１０における領域は、右半分が「ａｂｃｄｅｆｇｈｉｊｋｌ」に対応する文字のある読取対象領域であり、左半分が文字の無い背景の非読取対象領域である。そのため制御部３０は、発光素子２２ａおよび発光素子２２ｂを消灯し、発光素子２２ｃおよび発光素子２２ｄを点灯させる。
【００４０】
続いて、図５（ｇ）、図５（ｈ）に示すように、可動ユニット２０は移動方向Ｑに沿って位置Ａ１１まで移動する。位置Ａ１１における領域は、文字が無い非読取対象領域であるため、制御部３０は、発光素子２２ａ、発光素子２２ｂ、発光素子２２ｃおよび発光素子２２ｄを全て消灯させる。
【００４１】
なお、図２〜図５を参照して上述した形態では、原稿Ｍは文字を含んでいたが、原稿Ｍは絵や写真などを含んでもよい。その場合も絵や写真などが存在する領域が読取対象領域となる。以上のようにしてスキャンデータが取得される。
【００４２】
このように本実施形態によれば、読み取る必要の無い箇所では発光素子２２を消灯することによって無駄な光源電力を消費しないため、省電力化を効果的に行うことができる。特に、印字部分の少ない原稿で効果的に省電力化を行うことができる。
【００４３】
また、図１〜図５を参照して上述したように、画像読取装置１０において、制御部３０は、撮像部２６がスキャンデータを得る前に、スキャンデータを得る際の光量よりも低い光量で、原稿Ｍに対して相対的に移動しながら光源２１から原稿Ｍに光を出射させ、撮像部２６に、光源２１から出射された光によって原稿Ｍを読み取ったプレスキャンデータを取得させるプレスキャンを行うように光源２１および撮像部２６を制御する。制御部３０は、プレスキャンデータに基づいて、原稿Ｍ内の読取対象領域および非読取対象領域を決定する。プレスキャンの際に、スキャンデータを得る際の光量よりも低い光量で読み取るため、少ない消費電力で読取対象領域および非読取対象領域を決定するためのプレスキャンデータを取得することができる。
【００４４】
また、図１〜図５を参照して上述したように、撮像部２６がスキャンデータを取得する際に光源２１が原稿Ｍに対して相対的に移動する方向は、撮像部２６がプレスキャンデータを取得する際に光源２１が原稿に対して相対的に移動する方向と逆方向である。つまり、撮像部２６がスキャンデータを取得する際に光源２１が原稿Ｍに対して相対的に移動する方向は、従来方式とは逆方向であり、可動ユニット２０がホームポジションに戻る方向である。しかしながら、可動ユニット２０が移動する距離は、従来方式と同じであるから、従来の方式と比較してモーターの駆動による消費電力に差は生じない。
【００４５】
なお、スキャンデータのうち背景である非読取対象領域に対応するデータは、プレスキャンデータから判別した背景色データによって上書きされることが好ましい。
【００４６】
図６（ａ）は、本発明の実施形態において読み取られたスキャンデータを示す模式図である。図６（ｂ）は、本発明の実施形態において背景色データを上書きしたスキャンデータを示す模式図である。
【００４７】
画像読取装置１０において、原稿Ｍを読み取ってスキャンデータを得る際に、背景である非読取対象領域に対応する発光素子は消灯している。このため図６（ａ）においてスキャンデータのうち斜線で示された非読取対象領域に対応するデータは、原稿Ｍの背景の色を正確に反映していない。具体的には、背景色が例えば白であったとしても、非読取対象領域に対応するデータは、比較的低い光強度を示している。したがって、スキャンデータのうち背景である非読取対象領域に対応するデータは、本来の背景色データで上書きされることが好ましい。
【００４８】
まず、制御部３０は、プレスキャンデータから原稿Ｍ内の非読取対象領域に対応するプレ背景色データを判別する。プレスキャンは、スキャンデータを得る際の光源２１の光量よりも低い光量で原稿Ｍの読み取りを行うため、プレ背景色データは、本来の原稿Ｍの背景色データとは異なるデータとなっている。具体的には、プレ背景色データに示された光強度は、所定の光量の光源２１で原稿Ｍ全体を読み取ったときの原稿Ｍの背景色データに示された光強度よりも低い。
【００４９】
そこで制御部３０は、プレ背景色データに基づいて背景色データを生成する。例えば、プレスキャン時の光源２１の光量を考慮して、プレ背景データを演算することによって背景色データを生成しても良いし、あらかじめプレスキャンの値に対応する背景色データをＲＯＭなどの記憶部に格納しておき、記憶部の背景色データを参照することによって背景色データを生成しても良い。
【００５０】
背景色データが生成されると、スキャンデータのうち非読取対象領域に対応するデータに背景色データを上書きする。図６（ｂ）において、スキャンデータのうちの斜線で示された非読取対象領域のデータが背景色データに上書きされている。原稿Ｍ全体を所定の光量で読み取ったデータに相当するスキャンデータを生成することができる。
【００５１】
このように、画像読取装置１０において、制御部３０は、プレスキャンデータから原稿Ｍ内の非読取対象領域に対応するプレ背景色データを判別し、プレ背景色データに基づいて背景色データを生成し、スキャンデータのうち非読取対象領域に対応するデータに背景色データを上書きする。したがって、背景である非読取対象領域のスキャンデータを、原稿Ｍ本来の背景色にすることができる。
【００５２】
なお撮像部２６がプレスキャンデータを取得する際の解像度は、撮像部２６がスキャンデータを取得する際の解像度よりも低くても良い。プレスキャンデータを取得する際の解像度を低くする場合、可動ユニット２０の移動速度を高くしてもよいためプレスキャンにかかる時間を短縮することができる。
【００５３】
図７を参照して本発明に係る画像読取装置１０の実施形態を説明する。図７は、本発明の実施形態に係る画像読取装置１０を示す模式的なブロック図である。
【００５４】
画像読取装置１０は、制御部３０と撮像部２６と光源２１とを備える。制御部３０は、ＡＳＩＣ３１とＣＰＵ３２とＲＯＭ３３とＲＡＭ３４とを有する。可動ユニット（キャリッジ）２０には、撮像部２６と光源２１と位置検知センサー２７が搭載されている。光源２１は、複数の発光素子２２（発光素子２２ａ、発光素子２２ｂ、発光素子２２ｃ、発光素子２２ｄ）を有している。
【００５５】
ＡＳＩＣ３１は、光源２１に対して調光制御を行う。具体的には、プレスキャンの際は、スキャンデータを取得する際の光量（所定の光量）よりも低い光量となるように光量を調整する。
【００５６】
ＡＳＩＣ３１は、複数の発光素子２２（発光素子２２ａ、発光素子２２ｂ、発光素子２２ｃ、発光素子２２ｄ）に対して点灯／消灯の制御を行う。具体的には、スキャンデータを取得する際に、複数の発光素子２２のうち読取対象領域に対応する発光素子２２を点灯させ、複数の発光素子２２のうち非読取対象領域に対応する発光素子２２を消灯させる。位置検知センサー２７は可動ユニット２０の位置を検知する。
【００５７】
撮像部（ＣＣＤ）２６で読み取ったスキャンデータは、ＡＦＥ（アナログフロントエンド）４４に出力され、ＡＦＥ（アナログフロントエンド）４４においてスキャンデータはアナログ信号からデジタル信号に変換される。そしてデジタル信号に変換されたスキャンデータはＡＳＩＣ３１へと入力される。
【００５８】
ＲＯＭ３３には、例えば、背景色データが格納されている。ＲＡＭ３４は、例えば、プレスキャンの際のプレスキャンデータが格納される。
【００５９】
ＡＳＩＣ３１は、モーター駆動回路４５に対してモーター制御信号を出力する。モーター駆動回路４５は、ＡＳＩＣ３１から出力されたモーター制御信号に基づいてモーター４６を駆動させる。モーター４６が駆動することにより、可動ユニット２０が移動する。
【００６０】
画像形成装置１０は、さらに操作部５０を備える。操作部５０については図８を参照して後述する。操作部５０が入力を受け付けると、ＣＰＵ３２に対して信号を出力し、ＣＰＵ３２はＡＳＩＣ３１に対して信号を出力する。
【００６１】
図８を参照して本発明に係る画像読取装置１０の実施形態を説明する。図８は、本発明の実施形態に係る画像読取装置１０を示す模式的な斜視図である。画像読取装置１０は、光源２１と撮像部２６と制御部３０（図１等参照）に加えて操作部５０をさらに備える。
【００６２】
操作部５０は、タッチパネル５１とテンキーおよびスタートボタンなどを含む操作ボタン５２を有する。使用者がタッチパネル５１または操作ボタン５２によって、上述したプレスキャンを行うか否かを決定することができる。例えば使用方法は、原稿Ｍ内の文字が少ない場合、すなわち読取対象領域が少ない場合は、プレスキャンを実施するようにし、原稿Ｍ内の印字が多い場合、すなわち読取対象領域が多い場合は、プレスキャンを実施しないように設定することができる。
【００６３】
画像読取装置１０において、操作部５０が、プレスキャンを行うか否かの選択入力を受け付け、制御部３０が、選択入力に基づきプレスキャンを行うか否かを決定する。したがって、省電力化を効果的に行うことができる。
【００６４】
また、使用者は、タッチパネル５１または操作ボタン５２によって、上述した読取対象領域または非読取対象領域を決定することができる。具体的には、原稿Ｍの上半分の箇所だけを読み取りたい場合、使用者はタッチパネル５１または操作ボタン５２を操作することによって、原稿Ｍの上半分の領域を読取対象領域として指定することができる。また、原稿Ｍに文字として記載されていが読み取りたくない箇所がある場合、使用者は非読取対象領域をタッチパネル５１または操作ボタン５２を操作することによって、原稿Ｍの所望の領域を非読取対象領域として指定することができる。
【００６５】
画像読取装置１０において、操作部５０は、読取対象領域及び非読取対象領域のうち少なくとも一方の領域指定入力を受け付ける。プレスキャンによって判定された読取対象領域または非読取対象領域と、使用者が指定した読取対象領域または非読取対象領域とを組み合わせることによって読取対象領域または非読取対象領域が決定されてよい。制御部３０は、領域指定入力によって指定された読取対象領域及び非読取対象領域のうち少なくとも一方に基づき読取対象領域及び非読取対象領域のうち少なくとも一方を生成する。したがって、読取対象領域を高い自由度で決定することができる。
【００６６】
図９は、本発明の実施形態に係る画像形成装置１００を示す模式図である。画像形成装置１００は、複写機、プリンタ、ファクシミリ又はこれらの機能を兼ね備えた複合機であり得る。以下、複写機を用いて説明するが、本発明はこれに限定されない。画像形成装置１００は、画像読取装置１０と印刷部４７とを備える。印刷部４７は、定着装置１１０、給紙カセット１２０、作像部１３０、トナー補給装置１４０、用紙排出部１５０および用紙搬送部１６０を有している。印刷部４７は、画像読取装置１０によって取得されたスキャンデータに基づいて印刷を行う。
【００６７】
給紙カセット１２０には、印刷用の用紙Ｐが収容されている。複写を行う際、給紙カセット１２０内の用紙Ｐは、作像部３０と定着装置１１０とを経由して用紙排出部１５０から排出されるように、用紙搬送部１６０によって搬送される。
【００６８】
作像部１３０では、トナー像を用紙Ｐに形成する。作像部１３０には、感光体１３１と現像装置１３２と転写装置１３３とが含まれている。
【００６９】
感光体１３１には、画像読取装置１０で生成された原稿画像の電子信号に基づいたレーザーによって静電潜像が形成される。現像装置１３２は現像ローラー１２１を有している。現像ローラー１２１は、感光体１３１にトナーを供給して静電潜像を現像させることで、感光体１３１にトナー像を形成する。トナーは、トナー補給装置１４０から現像装置１３２へ補給される。
【００７０】
転写装置１３３は、感光体１３１に形成されたトナー像を用紙Ｐに転写する。
【００７１】
定着装置１１０では、定着部材１１１と加圧部材１１２によって用紙Ｐを加熱及び加圧することで、作像部１３０において形成された未定着のトナー像を溶融させて用紙Ｐに定着させる。
【産業上の利用可能性】
【００７２】
本発明の画像読取装置は、省電力が必要な画像読取装置に好適に用いられる。
【符号の説明】
【００７３】
Ｍ          原稿
Ｐ          用紙
Ｑ          移動方向
１０        画像読取装置
１１        原稿台
１２        原稿カバー
２１        光源
２２、２２ａ、２２ｂ、２２ｃ、２２ｄ  発光素子
２３        スリット
２４        反射ミラー
２５        レンズ
２６        撮像部
２７        位置検知センサー
３０        制御部
３１        ＡＳＩＣ
３２        ＣＰＵ
３３        ＲＯＭ
３４        ＲＡＭ
４４        ＡＦＥ（アナログフロントエンド）
４５        モーター駆動回路
４６        モーター
４７        印刷部
５０        操作部
５１        タッチパネル
５２        操作ボタン
６１ａ、６１ｂ、６１ｃ、６１ｄ、６１ｅ  領域
６２ａ、６２ｂ、６２ｃ、６２ｄ、６２ｅ、６２ｆ、６２ｇ、６２ｈ、６２ｉ、６２ｊ  領域
６３ａ、６３ｂ、６３ｃ、６３ｄ  領域
Ａ１、Ａ２、Ａ３、Ａ４、Ａ５、Ａ６、Ａ７、Ａ８、Ａ９、Ａ１０、Ａ１１  位置
１００      画像形成装置
１１０      定着装置
１１１      定着部材
１１２      加圧部材
１２０      給紙カセット
１３０      作像部
１３１      感光体
１３２      現像装置
１３３      転写装置
１４０      トナー補給装置
１５０      用紙排出部
１６０      用紙搬送部
【図１】
2014150344.tif 000003
【図２】
2014150344.tif 000004
【図３】
2014150344.tif 000005
【図４】
2014150344.tif 000006
【図５】
2014150344.tif 000007
【図６】
2014150344.tif 000008
【図７】
2014150344.tif 000009
【図８】
2014150344.tif 000010
【図９】
2014150344.tif 000011